(57)【特許請求の範囲】
【請求項１】
外側面に複数枚の壁パネルを配列した建物において、
横方向に隣接する壁パネル間に間隙を設け、
各壁パネルを横方向に隣接する他の壁パネルと上下方向において互い違いに配置するとともに、上下両端部が横方向に重なるように配置し、
前記間隙には前面開口側の広い幅の第１間隙と、奥部側の狭い幅の第２間隙とを形成し、
前記第２間隙を弾性変形可能な止水手段によって閉塞したことを特徴とする建物の外壁構造。
【請求項２】
前記壁パネルの上下の端縁を、上下方向の中央部の前面より後退させたことを特徴とする請求項１に記載の外壁構造。
【請求項３】
縦方向に隣接する壁パネル間に窓用の開口のための間隔を設けたことを特徴とする請求項１または２に記載の建物の外壁構造。
【請求項４】
前記壁パネルの横方向に対向する側面に突部を設けて、その突部間に前記第２間隙を形成したことを特徴とする請求項１〜３のうちのいずれか一項に記載の建物の外壁構造。
【請求項５】
前記突部間に前記止水手段を構成するガスケットを設けたことを特徴とする請求項４に記載の建物の外壁構造。
【請求項６】
前記ガスケットの前面側及び上下両端部を覆うように、前記止水手段を構成するシール材を設けたことを特徴とする請求項５に記載の建物の外壁構造。
【請求項７】
前記壁パネルの上端面に排水溝を形成するとともに、その排水溝に対応するように、前記シール材の上下両端部に排水孔を形成したことを特徴とする請求項６に記載の建物の外壁構造。
【請求項８】
壁パネルの上端縁には雨水を前記第１間隙に導くための導水板を設けたことを特徴とする請求項１〜７のうちのいずれか一項に記載の建物の外壁構造。
【請求項９】
前記壁パネルと導水板との間にシール材を設けたことを特徴とする請求項８に記載の建物の外壁構造。
【請求項１０】
前記壁パネルの両側面に凹部を形成し、その凹部内に前記導水板の両側端部を入り込ませたことを特徴とする請求項８に記載の建物の外壁構造。
【請求項１１】
建物の外側面と導水板との間に位置する水切り板を導水板の下面側に配置するとともに、その水切り板の両側端部を前記凹部内に入り込ませたことを特徴とする請求項１０に記載の建物の外壁構造。
【請求項１２】
前記水切り板の前記凹部内の両端部に端部止水手段を設けたことを特徴とする請求項１１に記載の建物の外壁構造。
【請求項１３】
前記凹部の開口部を弾性変形可能なシール材によって閉塞したことを特徴とする請求項１１または１２に記載の建物の外壁構造。
【請求項１４】
前面の両端が後退するように、両端間の中央部を厚く形成するとともに、両側面に凹部を形成し、両側面の両端部にパネル先端側に延びる突条を形成したことを特徴とする壁パネル。
【発明の詳細な説明】
【技術分野】
【０００１】
この発明は、多層階ビル等の建物における外壁構造及びその外壁構造に用いられる壁パネルに関するものである。
【背景技術】
【０００２】
従来、この種の建物の外壁構造のひとつとして、建物の外側面に多数枚の壁パネルを配列した構造が知られている。このような外壁に用いられる壁パネルが特許文献１において提案されている。この特許文献１の壁パネルは、左右両端部間の中間部の前面が円弧状に膨らんだ形状をなしている。
【先行技術文献】
【特許文献】
【０００３】
【特許文献１】実開昭６２-１８０１１２号公報
【発明の概要】
【発明が解決しようとする課題】
【０００４】
前記特許文献１においては、前述した構成の壁パネルを使用して連続した曲面状のカーテンウォールを形成する技術が開示されているのみである。
この発明の目的は、外観意匠性に優れるばかりでなく、壁パネルを互い違いに配置したとしても、止水性に問題が生じることがない建物の外壁構造及びその外壁構造に用いられる壁パネルを提供することにある。
【課題を解決するための手段】
【０００５】
上記の目的を達成するために、この建物の外壁構造に関する発明は、外側面に複数枚の壁パネルを配列した建物において、横方向に隣接する壁パネル間に間隙を設け、各壁パネルを横方向に隣接する他の壁パネルと上下方向において互い違いに配置するとともに、上下両端部が横方向に重なるように配置し、前記間隙には前面開口側の広い幅の第１間隙と、奥部側の狭い幅の第２間隙とを形成し、前記第２間隙を弾性変形可能な止水手段によって閉塞したことを特徴とする。
【０００６】
従って、この発明の建物の外壁構造においては、壁パネルの特徴を際立たせた良好な外観の建物とすることができる。また、幅の広い第１間隙を利用して雨水を排出でき、壁パネルの前面に雨水流下痕ができることを防止できる。さらに、狭い幅の第２間隙を閉塞することにより、建物内に雨水が侵入することを防止することができる。しかも、地震にともなう層間変位時には、壁パネルの変位を許容できて、壁パネルの損傷を防止できる。
【０００７】
前記の構成において、前記壁パネルの上下の端縁を、上下方向の中央部の前面より後退させるとよい。
前記の構成において、縦方向に隣接する壁パネル間に窓用の開口のための間隔を設けるとよい。
【０００８】
前記の構成において、前記壁パネルの横方向に対向する側面に突部を設けて、その突部間に前記第２間隙を形成するとよい。
前記の構成において、前記突部間に前記止水手段を構成するガスケットを設けるとよい。
【０００９】
前記の構成において、前記ガスケットの前面側及び上下両端部を覆うように、前記止水手段を構成するシール材を設けるとよい。
前記の構成において、前記壁パネルの上端面に排水溝を形成するとともに、その排水溝に対応するように、前記シール材の上下両端部に排水孔を形成するとよい。
【００１０】
前記の構成において、壁パネルの上端縁には雨水を前記第１間隙に導くための導水板を設けるとよい。
前記の構成において、前記壁パネルと導水板との間にシール材を設けるとよい。
【００１１】
前記の構成において、前記壁パネルの両側面に凹部を形成し、その凹部内に前記導水板の両側端部を入り込ませるとよい。
前記の構成において、建物の外側面と導水板との間に位置する水切り板を導水板の下面側に配置するとともに、その水切り板の両側端部を前記凹部内に入り込ませるとよい。
【００１２】
前記の構成において、前記水切り板の前記凹部内の両端部に端部止水手段を設けるとよい。
前記の構成において、前記凹部の開口部を弾性変形可能なシール材によって閉塞するとよい。
【００１３】
壁パネルに関する発明は、前面の両端が後退するように、両端間の中央部を厚く形成するとともに、両側面に凹部を形成し、両側面の両端部にパネル先端側に延びる突条を形成している。
【発明の効果】
【００１４】
以上のように、この発明の建物の外壁構造によれば、良好な外観を得ることができるとともに、雨水を適切に排出できて、建物内への雨水の侵入を防止できるという効果を発揮する。
【図面の簡単な説明】
【００１５】
【図１】この発明の一実施形態を示す建物の斜視図。
【図２】図１の建物の外壁構造を拡大して示す部分正面図。
【図３】同外壁構造の壁パネルを拡大して示す斜視図。
【図４】図３の壁パネルをさらに拡大して示す部分斜視図。
【図５】（ａ）は壁パネルの上部の支持構成を示す断面図、（ｂ）は壁パネルの下部の支持構成を示す断面図。
【図６】図２の６部分を拡大して示す要部正面図。
【図７】図６の７−７線における断面図。
【図８】図６の８−８線における断面図。
【図９】図６の外壁構造の諸部材を分解して示す要部斜視図。
【図１０】図９の外壁構造における導水板の全体を示す平面図。
【図１１】図６の１１−１１線における断面図。
【図１２】壁パネルの下端縁のシール構造を示す部分断面図。
【図１３】図６の１３−１３線における断面図。
【図１４】図１３の１４−１４線における部分拡大断面図。
【図１５】図１４の水切り板の両側端部のシール構造を示す要部分解斜視図。
【図１６】層間変位時における壁パネルの移動を示す簡略図。
【図１７】（ａ）〜（ｃ）はそれぞれ平面部壁パネル，コーナ部壁パネルを示す断面図。
【図１８】図７の横断面とほぼ同一の高さ位置において断面にして示す建物のコーナ部の部分断面図。
【図１９】図１３の横断面とほぼ同一の高さ位置において断面にして示す建物のコーナ部の部分断面図。
【図２０】図１９の建物のコーナ部における水切り板の側端部のシールブロックを拡大して示す分解斜視図。
【発明を実施するための形態】
【００１６】
以下に、この発明を具体化した一実施形態を、図面に従って説明する。
図１及び図２に示すように、この実施形態の建物の外壁構造は、建物の外側面に多数枚の壁パネル２１を配列することにより構成されている。そして、各壁パネル２１の上下両端部が横方向に隣接する他の壁パネル２１の上下両端部と互い違いに重なるように、かつ縦方向に隣接する他の壁パネル２１との間に窓用の開口２０が形成されるように間隔をおいて配置されている（以下、この配置を市松模様状という）。なお、後述するが、この外壁構造には、図１７（ａ）〜（ｃ）に示すように、平面部用の壁パネル２１の他に、コーナ部用の壁パネル２１Ａ，２１Ｂが用いられている。
【００１７】
各壁パネル２１，２１Ａ，２１Ｂ間の開口２０にはガラス窓２２用のサッシ２２ａが配置されている。図５（ａ）（ｂ）に示すように、各壁パネル２１は、その上下２位置において壁パネル２１，２１Ａ，２１Ｂ内の鉄筋２１ｄに固定したブラケット５１と、建物の躯体の梁５０に固定した金具５２とを介して梁５０に支持されている。壁パネル２１，２１Ａ，２１Ｂは、前記梁５０に支持された窓用のサッシ２２ａの前方外側に位置している。図５（ａ）（ｂ）において、１０は床スラブを示す。
【００１８】
以下に、建物のコーナ部を除いた平面部の構成を説明する。図３及び図４に示すように、前記壁パネル２１はコンクリート材により全体として縦方向に延びる長方形状に形成され、その前面が上下方向の中央部ほど突出するように円弧曲面状に形成されている。従って、この形状により、壁パネル２１が市松模様状に配置された状態で、壁パネル２１の上端縁２１ａ及び下端縁２１ｂが、横方向に隣接する他の壁パネル２１の前面よりも後退した位置に配置される。壁パネル２１の裏面を除く表面には、多数のタイル２３が表面部のみを露出した状態で埋設されている。
【００１９】
前記壁パネル２１の両側面の上部及び下部には、突部としての縦方向に延びる突条部２４，２５が突設されている。この突条部２４，２５が横方向に隣接する他の壁パネル２１，２１Ａ，２１Ｂの突条部２４，２５と対向する。上側突条部２４の上端部は、壁パネル２１の上端縁２１ａと同一高さ位置に形成されている。これに対して、下側突条部２５の下端部は、壁パネル２１の下端縁との間に空間２６をおいて位置するように形成されている。各突条部２４，２５の外側面には、縦方向に延びる縦溝２４ａ，２５ａが形成されている。
【００２０】
前記両下側突条部２５の上端部と対応する位置において壁パネル２１の両側面には、一対の凹部２７が形成されている。この凹部２７は、壁パネル２１が市松模様状に配置された状態で、隣接する他の壁パネル２１の上端縁２１ａの位置に対応している。壁パネル２１の上端縁２１ａには、横方向に延びる排水溝２８が形成されている。
【００２１】
図６及び図７に示すように、横方向に隣接する壁パネル２１間には第１間隙２９Ａと第２間隙２９Ｂとが形成されている。第１間隙２９Ａは壁パネル２１の前面側に形成され、第２間隙２９Ｂは第１間隙２９Ａの奥部において、横方向に対向する上側突条部２４と下側突条部２５との間に形成されている。第２間隙２９Ｂは第１間隙２９Ａよりも狭く形成されている。この第２間隙２９Ｂは、図１６に２点鎖線で示すように、地震の際において壁パネル２１が最大に変位しても、隣接する壁パネル２１の突条部２４，２５どうしが接触しない幅となっている。
【００２２】
図７に示すように、前記各壁パネル２１における上側突条部２４及び下側突条部２５の縦溝２４ａ，２５ａには、ゴム性の弾性材よりなる止水手段としてのチューブ状のガスケット３０が接着固定されている。そして、隣接する壁パネル２１間の前記第２間隙２９Ｂを閉塞するように、両突条部２４，２５上のガスケット３０が互いに弾性接触している。
【００２３】
図１１及び図１２に示すように、前記ガスケット３０の前面側及び上下両端を封止するように、隣接する壁パネル２１の上側突条部２４と下側突条部２５との間には、第１シール材３１が充填されている。第１シール材３１における前記排水溝２８と対応する部分には、雨水等の通過を許容するための貫通孔３２Ａが形成されている。さらに、前記貫通孔３２Ａと上下に対向するように、第１シール材３１の下端部には貫通孔３２Ａからの雨水の外部への落下を許容する貫通孔３２Ｂが形成されている。なお、第１シール材３１の奥部側（第２間隙２９Ｂ側）の下端部３１ｂは前記空間２６内の上部に位置している。従って、第１シール材３１の下端部の下方には空間２６が形成されている。
【００２４】
図８に示すように、前記躯体の梁５０（図５（ａ）に図示）に金具５２を介して固定された別の金具５３と、その金具５３に固定された前記サッシ２２ａとの間には導水板３３の後縁部がネジ３６により固定されている。この導水板３３は前部側において前記壁パネル２１の上端縁２１ａの全体を覆うようになっている。導水板３３の前縁部は壁パネル２１の上端縁２１ａから前方へわずかに突出している。前記サッシ２２ａと金具５３には前下がり階段状の水切り板３４がネジ３５，３６によって固定されている。この水切り板３４は前縁部が導水板３３の下面に当接されて、ネジ３７によって固定されている。なお、導水板３３及び水切り板３４をサッシ２２ａに固定する前記ネジ３５，３６は、縦方向あるいは横方向に延びる導水板３３及び水切り板３４のルーズホールを通っていて、この部分において施工誤差を吸収できるようになっている。
【００２５】
図９及び図１０に示すように、前記導水板３３の両端前部には、前記壁パネル２１間の第１間隙２９Ａと対応する切欠凹部３３ａが形成されている。導水板３３の両端部及び後縁部には、水止め部３３ｂが上方に向かって折り曲げ形成されている。導水板３３の左右方向の中央部には、稜線となる山折り部３３ｃが形成されている。導水板３３において、山折り部３３ｃの前端と両切欠凹部３３ａの内角部との間、及び山折り部３３ｃの後端と両切欠凹部３３ａの内角部との間には、谷折り部３３ｄ，３３ｅが形成されている。そして、谷折り部３３ｄ，３３ｅ及びそれに連なる斜面に沿って、導水板３３上の雨水が両切欠凹部３３ａに導かれて、切欠凹部３３ａから前記第１間隙２９Ａに流れ落ちるようになっている。
【００２６】
図１４及び図１５に示すように、前記水切り板３４の両端部の前部側には水止め部３４ａが折曲げ形成されている。両水止め部３４ａの屈曲部３４ｂから前方側の前半部には、端部止水手段としての第１シールブロック３８が嵌着されている。前記両水止め部３４ａの外側面には、端部止水手段としての第２シールブロック３９が接着されている。これらのシールブロック３８，３９は、シリコンゴムよりなる独立発泡のスポンジによって構成されている。第２シールブロック３９は、水止め部３４ａの外側面に接合する第１接合面３９ａと、前記屈曲部３４ｂの前面側において前記第１シールブロック３８に接合する第２接合面３９ｂと、水切り板３４の下面に接合する第３接合面３９ｃと、後述の第２シール材４０が接合される第４接合面３９ｄとを有している。この第１シールブロック３８及び第２シールブロック３９の取り付け状態で、水切り板３４の前部側の両端部が隣接する壁パネル２１の側面の凹部２７内に位置されている。そして、水切り板３４の上面に配置された導水板３３の前部側の両端部も、同様に隣接する壁パネル２１の凹部２７内に位置されている。この状態においては、第２シールブロック３９に水切り板３４の水止め部３４ａ及び下面が水密状に接合し、第１シールブロック３８と第２シールブロック３９とが水密状に接合し、さらに第２シールブロック３９の上下両面が凹部２７の内面に水密状に接合している。これらの接合により、第１，第２シールブロック３８，３９を介して導水板３３及び水切り板３４の両端部の前部側が凹部２７の内面に支持されるとともに、水止めされるようになっている。なお、図１４及び図１５の第２シールブロック３９は、図示左側のものであるが、図示右側のシールブロック３９は図１４及び図１５のものに対して左右対称の形状である。
【００２７】
図８及び図９に示すように、前記壁パネル２１の上端縁２１ａの後縁部と水切り板３４との間には、第２シール材４０が設けられている。図１５に示すように、この第２シール材４０は、両端において第２シールブロック３９の第４接合面３９ｄに接合されるとともに、図１１に示すように、両端部下面において前記第１シール材３１の奥部側（前記第２間隙２９Ｂ側）の上端部３１ａに接合されている。壁パネル２１の上端縁２１ａの前縁部と導水板３３との間には、第３シール材４１が設けられている。図９及び図１３に示すように、この第３シール材４１の両端部には、壁パネル２１の前端縁から側端縁を通って、前記第１シール材３１の上端に接合された延長部４１ａが形成されている。
【００２８】
図９、図１３及び図１４に示すように、前記凹部２７内において、第３シール材４１の延長部４１ａには、第４シール材４２が接続されている。この第４シール材４２は、凹部２７の開口部を閉塞するとともに、導水板３３の両端部においてその下面に接合し、そこから導水板３３の前端部に接合して、導水板３３の上面に接合されている。従って、第４シール材４２は、凹部２７の開口部と導水板３３との間を水密状にシールしている。
【００２９】
図８に示すように、前記導水板３３の後縁部とサッシ２２ａとの間の間には第５シール材４３が充填されている。図１５に示すように、この第５シール材４３の両端は前記第２シールブロック３９の第１接合面３９ａに接合されている。
【００３０】
前記第１〜第５シール材３１，４０〜４３は、パテ状をなし、充填の硬化状態において、耐候性とゴム性の弾力性を備えている。
次に、図１に示す建物のコーナ部の外壁構造について説明する。このコーナ部においては、外壁パネル，導水板，水切り板，シール材，シールブロック等の部材の形状が平面部に使用されるものと相違するが、機能はほぼ同じである。
【００３１】
すなわち、図１７（ｂ）（ｃ）に示すように、建物のコーナ部においては、２種類の壁パネル２１Ａ，２１Ｂが用いられる。図１７（ｂ）に示す壁パネル２１Ａは、ひとつの側面の奥側に約４５度の傾斜面４５Ａが形成され、その傾斜面４５Ａ側の側面には上下の突条部２４，２５が形成されていない。図１７（ｃ）に示す壁パネル２１Ｂは、別のひとつの側面の奥側に約４５度の傾斜面４５Ｂが形成され、その傾斜面４５Ｂ側の側面には上下の突条部２４，２５が形成されていない。そして、図１８及び図１９に示すように、前記傾斜面４５Ａ，４５Ｂが前記第２間隙２９Ｂと同じ間隙をおいて対向配置されることにより、隣接する壁パネル２１の側面間の前面側に広幅の第１間隙２９Ａが形成されている。
【００３２】
コーナ部に用いられる前記導水板３３，水切り板３４はそれらの形状が傾斜面４５Ａ，４５Ｂの角度にあわせて形状変更されている。ガスケット３０は前述した平面部ものと同じものが用いられている。
【００３３】
すなわち、第１間隙２９Ａの奥部の第２間隙２９Ｂにおける傾斜面４５Ａ，４５Ｂ間には、前記の場合と同様に、止水手段としてのガスケット３０が配置されるとともに、そのガスケット３０の前部及び上下両端部を包囲するように第１シール材３１が設けられている。
【００３４】
また、図１９及び図２０に示すように、建物のコーナ部に対応する導水板３３及び水切り板３４の端部は、前記壁パネル２１の傾斜面４５Ａ，４５Ｂに合わせて切り欠かれている。
【００３５】
このコーナ部においては、水切り板３４の端部に前記第１シールブロック３８とは異なる形状の第１シールブロック１３８が嵌合されている。水切り板３４の端部には第２シールブロック１３９が接合され、この第２シールブロック１３９は第１シールブロック１３８を受ける接合部１３９ａを有しているが、この第２シールブロック１３９は接合部１３９ａ以外の部分が凹部２７外に位置している。
【００３６】
以上のように構成された建物の外壁構造においては、上下方向の中央部が膨らんだ各壁パネル２１，２１Ａ，２１Ｂが市松模様状に配列されている。そして、横方向に隣接する各壁パネル２１，２１Ａ，２１Ｂ間に広い幅の第１間隙２９Ａが形成されているため、各壁パネル２１のデザインが際立ち、建物全体として新規で意匠性に優れた外観を得ることができる。そして、建物の平面部において、壁パネル２１の奥部には、壁パネル２１の突条部２４，２５によって幅狭の第２間隙２９Ｂが形成されている。また、建物のコーナ部においては、壁パネル２１Ａ，２１Ｂの傾斜面４５Ａ，４５Ｂによって幅狭の第２間隙２９Ｂが形成されている。そのため、その第２間隙２９Ｂを利用して、シール材４０等やガスケット３０による適切な止水処理を施すことができる。
【００３７】
地震の際には、壁パネル２１，２１Ａ，２１Ｂに対して各階の層間変位にともなう力が作用する。この場合、各壁パネル２１，２１Ａ，２１Ｂ間のガスケット３０やシール材３１が弾性変形されるとともに、壁パネル２１，２１Ａ，２１Ｂの凹部２７内のシールブロック３８，３９や第４シール材４２等が弾性変形される。このため、図１６に２点鎖線で示すように、壁パネル２１，２１Ａ，２１Ｂの変位が許容されるとともに、前記第２間隙２９Ｂが十分な幅を有しているため、壁パネル２１，２１Ａ，２１Ｂどうしの衝突は回避される。特に、建物のコーナ部においては、図１８に矢印Ｐ，Ｑで示すように、壁パネル２１Ａ，２１Ｂの変位方向が建物の面沿い方向であるため、面沿い方向に対して傾斜している第２間隙２９Ｂの拡縮量は小さい。従って、コーナ部の第２間隙２９Ｂは平面部の第２間隙２９Ｂより狭くすることが可能である。なお、壁パネル２１，２１Ａ，２１Ｂはサッシ２２ａの前面側において、梁５０に支持されているため、サッシ２２ａとはほとんど関係なく変位される。
【００３８】
雨天時において、雨水は壁パネル２１，２１Ａ，２１Ｂ上の導水板３３によって受け止められる。そして、この雨水は導水板３３上の谷折り部３３ｄ，３３ｅに沿って導水板３３の両側前部の切欠凹部３３ａに向かって流れ、隣接する壁パネル２１，２１Ａ，２１Ｂ間の第１間隙２９Ａを通して流れ落ちる。そして、雨水は、壁パネル２１，２１Ａ，２１Ｂ間のシール材４０,導水板３３と壁パネル２１，２１Ａ，２１Ｂとの間のシール材４１，水切り板３４と壁パネル２１，２１Ａ，２１Ｂとの間のシール材４２，壁パネル２１の凹部２７との間のシール材４３，シールブロック３８，３９等によって止水されて、建物側への侵入が阻止される。
【００３９】
また、何らかの原因によって、雨水が壁パネル２１，２１Ａ，２１Ｂの上端縁２１ａに入り込んだ場合は、その雨水は排水溝２８を経てシール材３１の上部の貫通孔３２Ａから第２間隙２９Ｂを通って、下部の貫通孔３２Ｂから外部に落下する。このとき、雨水はガスケット３０によって建物側への侵入が阻止される。さらに、何らかの原因により雨水がサッシ２２ａの下側に入り込んだ場合は、水切り板３４によって受けられ、室内側への侵入が防止される。しかも、導水板３３上及び水切り板３４上の雨水は、それらの板３３，３４の端部のシールブロック３８，３９や第４シール材４２等によってブロックされるため、壁パネル２１，２１Ａ，２１Ｂの凹部２７内を通って建物側に侵入することは防止される。
【００４０】
従って、この実施形態によれば、以下のような効果を得ることができる。
（１）  この建物の外壁構造では、前記壁パネル２１，２１Ａ，２１Ｂを市松模様状に、かつ横方向の壁パネル２１，２１Ａ，２１Ｂ間に広幅の第１間隙２９Ａを形成することによって、壁パネル２１，２１Ａ，２１Ｂの曲面を際立たせた良好な外観意匠の建物とすることができる。しかも、広幅の第１間隙２９Ａを利用して雨水を排出できて、樋や排水パイプを設ける必要がないため、さらに良好な外観とすることができる。
【００４１】
（２）  この建物の外壁構造では、前記第１間隙２９Ａの奥部に狭い幅の第２間隙２９Ｂが形成されている。従って、この狭い幅の第２間隙２９Ｂを利用して、ガスケット３０やシール材３１等を適切に配置して、その第２間隙２９Ｂを閉塞することができる。このため、壁パネル２１間に広い第１間隙２９Ａを形成したとしても、建物内に雨水が侵入することを防止することができる。
【００４２】
（３）  この建物の外壁構造では、第１間隙２９Ａの幅が、地震にともなって変位される壁パネル２１，２１Ａ，２１Ｂの最大変位を見越して形成されているため、建物の外壁が損傷するおそれを無くすことができる。また、壁パネル２１，２１Ａ，２１Ｂがサッシ２２ａの前方側に設置されているため、サッシ２２ａの破損も防止される。
【００４３】
（４）  この建物の外壁構造では、壁パネル２１の上端縁２１ａに、その上端縁２１ａから前方に突出する導水板３３が設けられている。そして、この導水板３３により雨水が第１間隙２９Ａに導かれる。このため、雨水が壁パネル２１の前面に沿って流れ落ちることを少なくすることができて、壁パネル２１に雨水流下痕による汚れが生じることを防止することができる。
【００４４】
（５）  この建物の外壁構造では、前記壁パネル２１と導水板３３との間にシール材４１が設けられている。このため、壁パネル２１の上端縁２１ａと導水板３３との間から雨水が侵入することを抑制することができる。
【００４５】
（６）  この建物の外壁構造では、隣接する壁パネル２１の両側面において、壁パネル２１の上端縁２１ａと対応する上下方向位置には凹部２７が形成され、その凹部２７内に導水板３３の両側端部が入り込むように構成されている。このため、導水板３３の両端部が壁パネル２１の外側に露出することを防止することができ、良好な外観を得ることができる。
【００４６】
（７）  この建物の外壁構造では、建物の外側面と導水板３３との間に位置する前下がり階段状の水切り板３４が導水板３３の下面側に配置されるとともに、その水切り板３４の両側端部が前記凹部２７内に入り込むように構成されている。このため、水切り板３４により建物側への雨水の侵入が防止されるとともに、導水板３３及び水切り板３４の端部を壁パネル２１の凹部２７により覆うことができて、前記と同様に良好な外観を得ることができる。
【００４７】
（８）  この建物の外壁構造では、前記凹部２７の開口部がシール材４２によって閉塞されるとともに、水切り板３４の両端部に第１，第２シールブロック３８，３９が設けられている。このため、壁パネル２１の凹部２７から建物側に雨水が侵入するおそれを抑制することができる。
【００４８】
（９）  この建物の外壁構造では、第２間隙２９Ｂの下部におけるシール材３１の下端部３１ｂの下方に空間２６が形成されている。言い換えれば、シール材３１の下端が上方に入り込んで、下方から見えにくいため、外観の向上に有効である。
【００４９】
（変更例）
なお、この実施形態は、次のように変更して具体化することも可能である。
・  図３に２点鎖線で示すように、壁パネル２１，２１Ａ，２１Ｂとして、上下方向の中央側が直線的に突出した形状のものとすること。
【００５０】
・  壁パネル２１，２１Ａ，２１Ｂを窓用の開口２０を設けることなく、上下方向に隙間無く、かつ横方向に互い違いに配列すること。
・  導水板３３を山折り部３３ｃや谷折り部３３ｄを形成することなく、フラットに形成すること。
【符号の説明】
【００５１】
２０…開口、２１，２１Ａ，２１Ｂ…壁パネル、２１ａ…上端縁、２４…上側突条部、２５…下側突条部、２７…凹部、２８…排水溝、２９Ａ…第１間隙、２９Ｂ…第２間隙、３０…ガスケット、３１…第１シール材、３３…導水板、３４…水切り板、３８…第１シールブロック、３９…第２シールブロック、４０…第２シール材、４１…第３シール材、４２…第４シール材、１３８…第１シールブロック、１３９…第２シールブロック
【図１】
0005605037.tif 000002
【図２】
0005605037.tif 000003
【図３】
0005605037.tif 000004
【図４】
0005605037.tif 000005
【図５】
0005605037.tif 000006
【図６】
0005605037.tif 000007
【図７】
0005605037.tif 000008
【図８】
0005605037.tif 000009
【図９】
0005605037.tif 000010
【図１０】
0005605037.tif 000011
【図１１】
0005605037.tif 000012
【図１２】
0005605037.tif 000013
【図１３】
0005605037.tif 000014
【図１４】
0005605037.tif 000015
【図１５】
0005605037.tif 000016
【図１６】
0005605037.tif 000017
【図１７】
0005605037.tif 000018
【図１８】
0005605037.tif 000019
【図１９】
0005605037.tif 000020
【図２０】
0005605037.tif 000021